(57)【要約】      （修正有）【課題】プラグ端の向きが調整可能な外付けケースを提供する。【解決手段】外付けケース１００は、壁掛け板６０及び本体部１０を備える。壁掛け板６０は固定物に固定されるように装設され、壁掛け板６０にはフックが設置される。本体部１０の内の少なくとも１つの側面には複数のプラグ端２１が設けられ、本体部１０の後表面の中央部にはフックにそれぞれ係合される複数の取付部が設けられ、複数組の取付部はそれぞれ異なる方向に向けられる。各組の取付部がフックにそれぞれ装設されることにより、壁掛け板６０に対して本体部１０を調整させる複数のプラグ端２１が設けられる側面の向きにより、複数のプラグ端２１の挿接方向が調整され、外付けケース１００の複数のプラグ端２１は最適な向きが選択されて電子装置に電気的に接続され、外付けケース１００が電子製品に連結されて使用される際にケーブルが引っ張られなくなり、これによりプラグ端２１及び電気ケーブルが効果的に定位されて収納される。【選択図】図１
0003211851.tif 000002
【実用新案登録請求の範囲】
【請求項１】
固定物に固定されるように装設される外付けケースであって、
前記固定物に固定されるように装設され、フックが設けられる壁掛け板と、
少なくとも１つの側面に複数のプラグ端が設けられる本体部であって、前記本体部の後表面の中央部には前記フックにそれぞれ係合される複数組の取付部が設けられ、前記複数組の取付部はそれぞれ異なる方向に向けられ、前記各組の取付部によりフックにそれぞれ装設され、これにより前記壁掛け板に対して前記本体部を調整させる前記複数のプラグ端が設けられる前記側面の向きにより、前記複数のプラグ端の挿接方向が調整されることとを備えることを特徴とする外付けケース。
【請求項２】
前記複数組の取付部は４組であり、前記各組の取付部はそれぞれ上下及び左右に対応し合って１対となって配列されることを特徴とする、請求項１に記載の外付けケース。
【請求項３】
前記壁掛け板には第一フック及び２つの第二フックが設けられ、前記第一フック及び２つの前記第二フックは三角形の配置を呈し、前記各組の取付部は全て第一取付部及び２つの第二取付部を備え、前記第一取付部及び２つの前記第二取付部は三角形の配置を呈し、前記第一取付部及び２つの前記第二取付部は前記第一フック及び２つの前記第二フックにそれぞれ対応するように係着されることを特徴とする、請求項１に記載の外付けケース。
【請求項４】
前記第一取付部は前記本体部の後表面から凸設されて形成される第一側板を有し、前記第一側板には第一係合溝が開設され、前記第一フックは前記壁掛け板の前表面から前に向けて延伸される第一接合部及び前記第一接合部の末端から上に向けて湾曲されるように延伸される第一係止部を有し、前記第一係止部は前記第一係合溝内に係合されることを特徴とする、請求項３に記載の外付けケース。
【請求項５】
前記各第一側板の対応し合う側面は前記第一係合溝の外囲に係合溝補強板が凸設されることを特徴とする、請求項４に記載の外付けケース。
【請求項６】
前記複数の第一側板の前端及び後端が相互に連接されて周設されることにより矩形枠形状が形成されることを特徴とする、請求項４に記載の外付けケース。
【請求項７】
前記本体部の後表面が前記各第一側板に対応する外囲に前端及び後端が相互に連接されて周設されることにより形成される矩形枠形状の補強用側板が凸設され、前記各組の取付部の２つの前記第二取付部は前記１組の第一側板の両側に連接される２つの前記第一側板と前記２つの第一側板にそれぞれ対応される前記補強用側板との間に設けられ、前記各第二取付部の両側には共に対応される前記第一側板及び前記補強用側板にそれぞれ連接される補強用リブが設置されることを特徴とする、請求項４に記載の外付けケース。
【請求項８】
前記２つの第二取付部は共に前記本体部の後表面から凸設されて形成される２つの第二側板を有し、２つの前記第二側板は間隔をあけて設置され、２つの前記第二側板には固持部が連接され、前記固持部及び２つの前記側板が組み合わせられることにより第二係合溝が形成され、前記２つの第二フックは共に前記壁掛け板の前表面から前に向けて延伸される第二接合部及び前記第二接合部の末端から上に向けて湾曲されるように延伸される第二係止部を有し、前記２つの第二係止部は前記第二係合溝内にそれぞれ係合されることを特徴とする、請求項３に記載の外付けケース。
【請求項９】
前記固持部の内側面には皆内に向けてボスが凸設され、前記２つの第二係止部には共に孔部が開設され、前記本体部の後表面が前記各第二係合溝に対応する末端箇所に凸型台座がそれぞれ凸設され、前記第二係止部が前記第二係合溝内に係合されると、前記凸型台座が前記第二係止部を押すことにより前記ボスが前記孔部内に係着されることを特徴とする、請求項８に記載の外付けケース。
【請求項１０】
前記各凸型台座の後端には前記本体部の後表面から凸設される位置限定部が連接され、前記第二係止部の末端は前記位置限定部に当接されることを特徴とする、請求項８に記載の外付けケース。
【請求項１１】
前記本体部は前ケースと、回路基板と、後ケースとを備え、前記後ケースは前記前ケースの後部に装設され、前記回路基板は前記前ケース及び前記後ケース内に装設され、前記各組の取付部は前記後ケースの後表面にそれぞれ設けられ、前記複数のプラグ端は前記前ケースに設置されると共に前記回路基板に電気的に接続されることを特徴とする、請求項１に記載の外付けケース。
【請求項１２】
前記本体部は密封シートを更に備え、前記密封シートは前記回路基板の後表面に密封され、前記後ケースは前記密封シートの後部に固設されることを特徴とする、請求項１１に記載の外付けケース。
【考案の詳細な説明】
【技術分野】
【０００１】
本考案は、外付けケースに関し、より詳しくは、プラグ端の向きを調整可能な外付けケースに関する。
【背景技術】
【０００２】
従来の外付けケースは通常卓上または台上に置かれて使用される。ただし、外付けケースの外部の使用環境が多様化する中で、使用者が外付けケースを壁面に固定させたり、机の側面や底面に固定させる場合、通常は外付けケースを固定させて脱落を防止させる必要があった。
【考案の概要】
【考案が解決しようとする課題】
【０００３】
しかしながら、従来の外付けケースの側面上には複数のプラグ端が設置され、外付けケースを固定させる場合、前記複数のプラグ端は単一の向きに固定されていた。接続される電子製品の位置を変える場合、新しい使用位置に取り付けるには、外付けケースを取り外し、取り付けたい位置に置いて外付けケースの側面のプラグ端の向きを変える必要がある。そうしなければ、外付けケースが電子製品に連結されて使用される際に、ケーブルが引っ張られるとプラグ端が動かされ、プラグ端内の部材が回転したり緩んだりした。また、電気ケーブルを効果的に定位させて収納させられなくなり、配線が乱雑になり、整理しにくくなり、美観に重大な影響を与えた。
【０００４】
そこで、本考案者は上記の欠点が改善可能と考え、すなわち、プラグ端が最適な向きを選択されて電子製品に電気的に接続される外付けケースを提供し、外付けケースが電子製品に連結されて使用される際にケーブルが引っ張られないようにして、電気ケーブルが効果的に定位されて収納されるようにするために、鋭意検討を重ねた結果、合理的設計で上記の課題を効果的に改善する本考案の提案に到った。
【０００５】
かかる従来の実情に鑑みて、本考案は、外付けケースを提供することを目的とする。
【課題を解決するための手段】
【０００６】
上述した課題を解決し、目的を達成するために、本考案に係る外付けケースは、壁掛け板及び本体部を備える。前記壁掛け板は前記固定物に固定されるように装設され、壁掛け板にはフックが設けられる。前記本体部の内の少なくとも１つの側面には複数のプラグ端が設けられ、本体部の後表面の中央部にはフックにそれぞれ係合される複数組の取付部が設置され、複数組の取付部はそれぞれ異なる方向に向けられ、各組の取付部がフックにそれぞれ装設されることにより、壁掛け板に対して本体部を調整させる複数のプラグ端が設けられる側面の向きにより、複数のプラグ端の挿接方向が調整される。
【考案の効果】
【０００７】
本考案に係る外付けケースは、各組の取付部がフックにそれぞれ装設され、壁掛け板に対して本体部を調整させる複数のプラグ端が設けられる側面の向きにより、複数のプラグ端の挿接方向が調整され、外付けケースの複数のプラグ端が最適な向きを選択されて電子装置に電気的に接続され、外付けケースが電子製品に連結されて使用される際にケーブルが引っ張られないようにし、プラグ端が動かなくなり、電気ケーブルが効果的に定位されて収納される。
【図面の簡単な説明】
【０００８】
【図１】本考案の一実施形態に係る外付けケースを説明する外観斜視図である。
【図２】本考案の一実施形態に係る外付けケースを説明する分解図である。
【図３】本考案の外付けケースを他の角度から見た分解図である。
【図４】本考案の外付けケースの後ケースを示す外観斜視図である。
【図５】本考案の外付けケースの後ケースを他の角度から見た外観斜視図である。
【図６】本考案の外付けケースの壁掛け板を示す斜視図である。
【図７】本考案の外付けケースを示す背面図である。
【図８】図７の外付けケースのVIII−VIIIを示す断面模式図である。
【図９】図７の外付けケースのIX−IXを示す断面模式図である。
【図１０】図９の外付けケースを示すＸ部分拡大図である。
【図１１】図１の外付けケースの本体部の他の取付部が壁掛け板の複数フックに係止される傾斜図である。
【考案を実施するための形態】
【０００９】
以下、図面を参照して本考案に係る外付けケースの実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１０】
以下、本考案の実施形態を図１〜１１に基づいて説明する。まず、本考案外付けケース１００は固定物（図示せず）に固定されるように装設され、壁掛け板６０及び本体部１０を備える（図１及び図２参照）。壁掛け板６０は固定物に固定されるように装設される。壁掛け板６０にはフック６１が設置される。本体部１０の内の少なくとも１つの側面には複数のプラグ端２１が設けられ、本体部１０の後表面の中央部にはフック６１にそれぞれ係合される複数組の取付部５１が設けられ、複数組の取付部５１はそれぞれ異なる方向に向けられ、各組の取付部５１がフック６１にそれぞれ装設されることにより、壁掛け板６０に対して本体部１０を調整させる複数のプラグ端２１が設けられる側面の向きにより、複数のプラグ端２１の挿接方向が調整される。
【００１１】
図６に示すように、前記壁掛け板６０は金属板であり、壁掛け板６０には複数のフック６１がパンチングプレスされ、前記フック６１は壁掛け板６０の前表面から前に向けて延伸される接合部（図示せず）及び接合部の末端から垂直に湾曲されて延伸される係止部（図示せず）を有し、係止部には孔部（図示せず）が開設される。具体的には、前記フック６１は第一フック６２及び２つの第二フック６３を備え、前記第一フック６２及び２つの第二フック６３は二等辺三角形の配置を呈し、２つの第二フック６３はそれぞれ２つの底角とし、第一フック６２は頂角とする。前記第一フック６２及び第二フック６３は共に壁掛け板６０にパンチングプレスにより形成され、パンチングプレスにより成形された後、壁掛け板６０の第一フック６２及び２つの第二フック６３の箇所には共に第一開孔部６４が形成される。前記第一フック６２は壁掛け板６０の前表面から前に向けて延伸される第一接合部６２１及び第一接合部６２１の末端から上に向けて湾曲されるように延伸される第一係止部６２２を有する。前記２つの第二フック６３は共に壁掛け板６０の前表面から前に向けて延伸される第二接合部６３１及び第二接合部６３１の末端から上に向けて湾曲されるように延伸される第二係止部６３２を有し、前記２つの第二係止部６３２には共に孔部６３３が開設される。
【００１２】
続いて、前記本体部１０は前ケース２０と、回路基板３０と、密封シート４０と、後ケース５０とを備える（図１及び図２参照）。前記後ケース５０は前ケース２０の後部に装設され、前記回路基板３０は前ケース２０及び後ケース５０内に装設され、前記密封シート４０は回路基板３０の後表面を密封させ、後ケース５０は密封シート４０の後部に固設される。
【００１３】
図１乃至図６に示すように、前記本体部１０の前記複数組の取付部５１は４組であり、各組の取付部５１はそれぞれ上下及び左右に対応し合って１対となって配列される。前記各組の取付部５１は第一取付部５２及び２つの第二取付部５３を備え、第一取付部５２及び２つの第二取付部５３は二等辺三角形の配置を呈し、前記２つの第二取付部５３はそれぞれ２つの底角とし、第一取付部５２は頂角とする。前記第一取付部５２は後ケース５０の後表面から凸設されて形成される第一側板５２１を有し、前記第一側板５２１は前端及び後端が相互に連接されて周設されることにより矩形枠形状が形成され、第一側板５２１には第一係合溝５２２が開設される。前記各第一側板５２１の対応し合う側面は第一係合溝５２２の外囲に係合溝補強板５６が凸設される。前記後ケース５０の後表面が各第一係合溝５２２に対応する箇所には第一係合溝５２２に連通される第二開孔部５２３が開設され、前記後ケース５０の後表面は第一側板５２１の外囲に前端及び後端が相互に連接されて周設されることにより矩形枠形状が形成される補強用側板５４が凸設される。
【００１４】
なお、前記各組の取付部５１の２つの第二取付部５３は前記組第一側板５２１の両側に連接される２つの第一側板５２１と前記２つの第一側板５２１にそれぞれ対応される補強用側板５４との間にそれぞれ設置され、前記各第二取付部５３の両側には共に対応される第一側板５２１及び補強用側板５４にそれぞれ連接される補強用リブ５５が設置される（図４、図５及び図１０参照）。前記２つの第二取付部５３は共に本体部１０の後ケース５０の後表面から凸設されて形成される２つの第二側板５３１を有し、２つの第二側板５３１は間隔をあけて設置され、２つの第二側板５３１には固持部５３３が連接され、固持部５３３及び２つの第二側板５３１が組み合わせられることにより第二係合溝５３２が形成され、前記２つの固持部５３３の内側面は皆内に向けてボス５３４が凸設される。具体的には、前記各組の取付部５１の２つの第二取付部５３は皆後ケース５０に開設される第三開孔部５３５を備え、前記２つの第二側板５３１は第三開孔部５３５の両側からそれぞれ凸設されて形成される。前記本体部１０の後ケース５０の後表面が各第二係合溝５３２に対応する箇所には凸型台座５７がそれぞれ凸設され、各凸型台座５７の後端には本体部１０の後表面から凸設される位置限定部５８が連接される。
【００１５】
図２及び図５に示すように、前記密封シート４０は回路基板３０の後表面を密封させ、前記密封シート４０は各第二開孔部５２３及び第三開孔部５３５の密封に用いられる。これにより水及び埃等の異物の侵入が防がれる。前記本体部１０の前ケース２０の内の少なくとも１つの側面には回路基板３０に接続される複数のプラグ端２１が設置される。具体的には、本体部１０の前ケース２０の対応し合う２つの側面には共に回路基板３０に接続される複数のプラグ端２１が設置される。
【００１６】
本考案の外付けケース１００の使用状況について、図１乃至図１０を参照しながら説明する。本考案に係る外付けケース１００は使用において、先ず壁掛け板６０が固定物の上表面または固定物の下表面、或いは壁上に固定されるように装設される。その後、本体部１０の内の１組の取付部５１が壁掛け板６０の複数のフック６１に係着される。この際、本体部１０の複数のプラグ端２１が設けられる側面が上に向けられ、すなわち、各プラグ端２１の挿接方向が上に向けられる。具体的には、前記第一取付部５２及び２つの第二取付部５３は第一フック６２及び２つの第二フック６３にそれぞれ対応するように係着され、前記第一係止部６２２は第一係合溝５２２内に係合され、前記２つの第二係止部６３２は２つの第二係合溝５３２内にそれぞれ係合され、前記凸型台座６５により第二係止部６３２が押されてボス５３４が孔部６３３内に係着され、これにより本体部１０の脱落が防止される。前記第二係止部６３２の末端は位置限定部５８に当接され、２つの位置限定部５８は２つの第二フック６３の挿入深度の制限にそれぞれ使用され、２つの第二取付部５３の損壊を防ぐ。
【００１７】
続いて、図４、図６及び図１１を参照し、本体部１０の複数のプラグ端２１が設けられる側面を他の方向に向ける場合、本体部１０を取り外し、本体部１０の対応する他の１組の取付部５１を壁掛け板６０の複数のフック６１に係着させることにより、本体部１０の複数のプラグ端２１が設けられる側面が他の方向に向けられる。こうして、各プラグ端２１の挿接方向が調整される。各組の取付部５１がそれぞれ上下及び左右に対応し合って１対となって配列されることにより、本体部１０の複数のプラグ端２１が設けられる側面が上下左右の４方向の向きを有する。
【００１８】
以上のとおり、本考案に係る外付けケース１００は各組の取付部５１がフック６１にそれぞれ装設されることにより、壁掛け板６０に対して本体部１０を調整させる複数のプラグ端２１が設けられる側面の向きにより、複数のプラグ端２１の挿接方向が調整され、外付けケース１００の複数のプラグ端２１が最適な向きを選択されて電子装置に電気的に接続され、外付けケース１００が電子製品に接続される際に使用されるケーブルが引っ張られなくなり、プラグ端２１が動かなくなり、電気ケーブルが効果的に定位されて収納される。
【００１９】
以上、本考案の実施形態について図面を参照して詳述したが、具体的な構成はこの実施形態に限られるものではなく、本考案の要旨を逸脱しない範囲の設計変更等も含まれる。
【符号の説明】
【００２０】
１００  外付けケース
１０  本体部
２０  前ケース
２１  プラグ端
３０  回路基板
４０  密封シート
５０  後ケース
５１  取付部
５２  第一取付部
５２１  第一側板
５２２  第一係合溝
５２３  第二開孔部
５３  第二取付部
５３１  第二側板
５３２  第二係合溝
５３３  固持部
５３４  ボス
５３５  第三開孔部
５４  補強用側板
５５  補強用リブ
５６  係合溝補強板
５７  凸型台座
５８  位置限定部
６０  壁掛け板
６１  フック
６２  第一フック
６２１  第一接合部
６２２  第一係止部
６３  第二フック
６３１  第二接合部
６３２  第二係止部
６３３  孔部
６４  第一開孔部
【図１】
0003211851.tif 000003
【図２】
0003211851.tif 000004
【図３】
0003211851.tif 000005
【図４】
0003211851.tif 000006
【図５】
0003211851.tif 000007
【図６】
0003211851.tif 000008
【図７】
0003211851.tif 000009
【図８】
0003211851.tif 000010
【図９】
0003211851.tif 000011
【図１０】
0003211851.tif 000012
【図１１】
0003211851.tif 000013
【手続補正書】
【提出日】平成29年6月7日(2017.6.7)
【手続補正１】
【補正対象書類名】実用新案登録請求の範囲
【補正対象項目名】全文
【補正方法】変更
【補正の内容】
【実用新案登録請求の範囲】
【請求項１】
固定物に固定されるように装設される外付けケースであって、
前記固定物に固定されるように装設され、フックが設けられる壁掛け板と、
少なくとも１つの側面に複数のプラグ端が設けられる本体部であって、前記本体部の後表面の中央部には前記フックにそれぞれ係合される複数組の取付部が設けられ、前記複数組の取付部はそれぞれ異なる方向に向けられ、前記各組の取付部によりフックにそれぞれ装設され、これにより前記壁掛け板に対して前記本体部を調整させる前記複数のプラグ端が設けられる前記側面の向きにより、前記複数のプラグ端の挿接方向が調整されることとを備えることを特徴とする外付けケース。
【請求項２】
前記複数組の取付部は４組であり、前記各組の取付部はそれぞれ上下及び左右に対応し合って１対となって配列されることを特徴とする、請求項１に記載の外付けケース。
【請求項３】
前記壁掛け板には第一フック及び２つの第二フックが設けられ、前記第一フック及び２つの前記第二フックは三角形の配置を呈し、前記各組の取付部は全て第一取付部及び２つの第二取付部を備え、前記第一取付部及び２つの前記第二取付部は三角形の配置を呈し、前記第一取付部及び２つの前記第二取付部は前記第一フック及び２つの前記第二フックにそれぞれ対応するように係着されることを特徴とする、請求項１に記載の外付けケース。
【請求項４】
前記第一取付部は前記本体部の後表面から凸設されて形成される第一側板を有し、前記第一側板には第一係合溝が開設され、前記第一フックは前記壁掛け板の前表面から前に向けて延伸される第一接合部及び前記第一接合部の末端から上に向けて湾曲されるように延伸される第一係止部を有し、前記第一係止部は前記第一係合溝内に係合されることを特徴とする、請求項３に記載の外付けケース。
【請求項５】
前記各第一側板の対応し合う側面は前記第一係合溝の外囲に係合溝補強板が凸設されることを特徴とする、請求項４に記載の外付けケース。
【請求項６】
前記複数の第一側板の前端及び後端が相互に連接されて周設されることにより矩形枠形状が形成されることを特徴とする、請求項４に記載の外付けケース。
【請求項７】
前記本体部の後表面が前記各第一側板に対応する外囲に前端及び後端が相互に連接されて周設されることにより形成される矩形枠形状の補強用側板が凸設され、前記各組の取付部の２つの前記第二取付部は前記１組の第一側板の両側に連接される２つの前記第一側板と前記２つの第一側板にそれぞれ対応される前記補強用側板との間に設けられ、前記各第二取付部の両側には共に対応される前記第一側板及び前記補強用側板にそれぞれ連接される補強用リブが設置されることを特徴とする、請求項４に記載の外付けケース。
【請求項８】
前記２つの第二取付部は共に前記本体部の後表面から凸設されて形成される２つの第二側板を有し、２つの前記第二側板は間隔をあけて設置され、２つの前記第二側板には固持部が連接され、前記固持部及び２つの前記側板が組み合わせられることにより第二係合溝が形成され、前記２つの第二フックは共に前記壁掛け板の前表面から前に向けて延伸される第二接合部及び前記第二接合部の末端から上に向けて湾曲されるように延伸される第二係止部を有し、前記２つの第二係止部は前記第二係合溝内にそれぞれ係合されることを特徴とする、請求項３に記載の外付けケース。
【請求項９】
前記固持部の内側面には皆内に向けてボスが凸設され、前記２つの第二係止部には共に孔部が開設され、前記本体部の後表面が前記各第二係合溝に対応する末端箇所に凸型台座がそれぞれ凸設され、前記第二係止部が前記第二係合溝内に係合されると、前記凸型台座が前記第二係止部を押すことにより前記ボスが前記孔部内に係着されることを特徴とする、請求項８に記載の外付けケース。
【請求項１０】
前記各凸型台座の後端には前記本体部の後表面から凸設される位置限定部が連接され、前記第二係止部の末端は前記位置限定部に当接されることを特徴とする、請求項９に記載の外付けケース。
【請求項１１】
前記本体部は前ケースと、回路基板と、後ケースとを備え、前記後ケースは前記前ケースの後部に装設され、前記回路基板は前記前ケース及び前記後ケース内に装設され、前記各組の取付部は前記後ケースの後表面にそれぞれ設けられ、前記複数のプラグ端は前記前ケースに設置されると共に前記回路基板に電気的に接続されることを特徴とする、請求項１に記載の外付けケース。
【請求項１２】
前記本体部は密封シートを更に備え、前記密封シートは前記回路基板の後表面に密封され、前記後ケースは前記密封シートの後部に固設されることを特徴とする、請求項１１に記載の外付けケース。